(57)【要約】    【課題】  位置ずれ補正用のマーキングを施すことなく画像の位置合わせを行うことができる画像位置合わせ装置及びプログラムを提供する。    【解決手段】  ページ内において、ページ表示領域指定部４０４で指定された領域から、ページ情報取得部４０５がページ番号の表示位置に関する情報を取得する。画像位置合わせ部４０７は、基準位置指定部４０６を介して指定された基準位置において、各ページに表示されたページ番号の位置が揃うように画像の位置合わせを行う。【選択図】          図６
2007047925.tif 000002
【特許請求の範囲】
【請求項１】
ページ内における画像の位置合わせを行う画像位置合わせ装置において、
各々のページについて、ページ番号を示すページ番号情報を表示している位置に関する情報を取得するページ番号位置情報取得手段と、
ページ番号情報の表示位置が、各々のページで略同一の位置となるようにページ内の画像位置を補正する位置合わせ手段とを備える
ことを特徴とする画像位置合わせ装置。
【請求項２】
前記ページ番号位置情報取得手段は、
ページ内において、ページ番号情報が表示される領域を指定するユーザの入力を受け付ける領域指定入力受付手段と、
指定された領域内において、ページ番号情報を表示している位置に関する情報を取得する位置情報取得手段とを含む
ことを特徴とする請求項１に記載の画像位置合わせ装置。
【請求項３】
前記ページ番号位置情報取得手段は、
前記領域指定入力受付手段が、一のページに対するユーザの指定入力を受け付けた場合に、前記一のページ以外の他のページに対しても同様の領域が指定されたものとして、ページ番号情報を表示している位置に関する情報を取得する
ことを特徴とする請求項２に記載の画像位置合わせ装置。
【請求項４】
前記領域指定入力受付手段は、
奇数ページ目と偶数ページ目とで、別の領域の指定入力を受け付ける
ことを特徴とする請求項２又は３に記載の画像位置合わせ装置。
【請求項５】
前記位置合わせ手段は、
奇数ページ目と偶数ページ目とのそれぞれにおいて、ページ番号情報が略同一の位置に表示されるように、ページ内の画像位置を補正する
ことを特徴とする請求項１又は４に記載の画像位置合わせ装置。
【請求項６】
前記位置合わせ手段は、
奇数ページについて、ページ番号情報の最も右側の文字の位置が略同一となるようにページ内の画像位置を補正する場合には、偶数ページについて、ページ番号情報の最も左側の文字の位置が略同一となるようにページ内の画像位置を補正し、奇数ページについて、ページ番号情報の最も左側の文字の位置が略同一となるようにページ内の画像位置を補正する場合には、偶数ページについて、ページ番号情報の最も右側の文字の位置が略同一となるようにページ内の画像位置を補正する
ことを特徴とする請求項５に記載の画像位置合わせ装置。
【請求項７】
前記ページ番号位置情報取得手段は、
文字認識によりページ番号情報を構成する文字を認識し、当該文字に接して文字を囲む矩形の座標を前記位置に関する情報として取得する
ことを特徴とする請求項１から６のいずれかに記載の画像位置合わせ装置。
【請求項８】
前記位置合わせ手段は、
ページ番号情報の同一の桁の数字の位置が略同一となるようにページ内の画像位置を補正する
ことを特徴とする請求項１から７のいずれかに記載の画像位置合わせ装置。
【請求項９】
前記位置合わせ手段は、
ページ番号情報の桁数が同じであって、同じ桁の数字が同一となるページについて、当該同一の数字の位置が略同一となるようにページ内の画像位置を補正する
ことを特徴とする請求項１から７のいずれかに記載の画像位置合わせ装置。
【請求項１０】
前記位置合わせ手段は、
ページ番号情報のフォント及びサイズを検出する検出手段と、
当該フォント及びサイズにおいて、各文字ごとの基準位置を保持するフォント基準位置保持手段とを備え、
前記各文字ごとの基準位置が各々のページで略同一となるように、ページ内の画像位置を補正する
ことを特徴とする請求項８又は９のいずれかに記載の画像位置合わせ装置。
【請求項１１】
前記位置合わせ手段は、
ページ番号情報の全ての数字を囲む矩形の中央位置が略同一となるようにページ内の画像位置を補正する
ことを特徴とする請求項１から７のいずれかに記載の画像位置合わせ装置。
【請求項１２】
前記位置合わせ手段は、
ページ番号情報にデリミタが含まれる場合に、当該デリミタの位置が略同一となるようにページ内の画像位置を補正する
ことを特徴とする請求項１から７のいずれかに記載の画像位置合わせ装置。
【請求項１３】
前記位置合わせ手段は、
ページ番号情報に全ページ数が含まれる場合に、当該全ページ数の表示位置が略同一となるようにページ内の画像位置を補正する
ことを特徴とする請求項１から７のいずれかに記載の画像位置合わせ装置。
【請求項１４】
前記画像位置合わせ装置は、
前記位置合わせ手段による画像位置合わせの基準位置を指定する入力を受け付ける基準位置指定入力受付手段を備え、
前記位置合わせ手段は、
指定された基準位置と、各々のページのページ番号情報の所定の位置とが略同一となるようにページ内の画像位置を補正する
ことを特徴とする請求項１から１３のいずれかに記載の画像位置合わせ装置。
【請求項１５】
前記画像位置合わせ装置は、
前記位置合わせ手段による画像位置合わせの基準位置を決定するページ番号を指定する入力を受け付ける基準ページ指定入力受付手段を備え、
前記位置合わせ手段は、
指定されたページの所定位置と、各々のページのページ番号情報の所定の位置とが略同一となるようにページ内の画像位置を補正する
ことを特徴とする請求項１から１３のいずれかに記載の画像位置合わせ装置。
【請求項１６】
プロセッサを備える装置にインストールされ、ページ内における画像の位置合わせを行う画像位置合わせ処理を実行させるプログラムにおいて、
各々のページについて、ページ番号を示すページ番号情報を表示している位置に関する情報を取得するページ番号位置情報取得処理と、
ページ番号情報の表示位置が、各々のページで略同一の位置となるようにページ内の画像位置を補正する位置合わせ処理とを前記プロセッサに実行させる
ことを特徴とするプログラム。
【発明の詳細な説明】
【技術分野】
【０００１】
本発明は、画像位置合わせ装置及びプログラムに関する。
【背景技術】
【０００２】
画像形成装置において記録紙等の記録シート上に画像を形成する際など、上下左右にマージンが設定されるのが通常であるが、例えば原稿をスキャナで読み取って得た画像データの傾き補正を行った場合など、当初設定されたマージンと異なり、ページ内における画像の位置がページごとにずれることがある。また、左右のマージンの値が異なっている場合に両面印刷を行った場合にも、表面と裏面とで画像位置がずれることがある。特許文献１には、両面印刷を行う際に表裏両面の画像の位置ずれを解消しようとする技術が開示されている。
【０００３】
【特許文献１】特開２０００−１３７５９５号公報
【発明の開示】
【発明が解決しようとする課題】
【０００４】
上記特許文献１に記載の技術では、表裏両面の画像中にマーキングを設け、表裏のマーキング位置のずれを検出し、補正することにより画像の位置ずれを補正している。しかしながら、画像の内容、特に見栄えが重要な場合など、マーキングを設けることが適当でない場合もあり、そのような場合に特に傾き補正などで位置ずれが生じた場合には対処する手段が無いという問題点を有していた。
【０００５】
本発明は係る問題点に鑑みてなされたものであって、位置ずれ補正用のマーキングを施すことなく画像の位置合わせを行うことができる画像位置合わせ装置及びプログラムを提供することを目的としている。
【課題を解決するための手段】
【０００６】
上記の問題点を解決するために、本発明に係る画像位置合わせ装置は、ページ内における画像の位置合わせを行う画像位置合わせ装置において、各々のページについて、ページ番号を示すページ番号情報を表示している位置に関する情報を取得するページ番号位置情報取得手段と、ページ番号情報の表示位置が、各々のページで略同一の位置となるようにページ内の画像位置を補正する位置合わせ手段とを備えることを特徴としている。
【０００７】
本発明の構成では、各ページに配されたページ番号情報を利用して画像の位置合わせを行うため、位置合わせのためのマーキングを設ける必要がない。
前記ページ番号位置情報取得手段は、ページ内において、ページ番号情報が表示される領域を指定するユーザの入力を受け付ける領域指定入力受付手段と、指定された領域内において、ページ番号情報を表示している位置に関する情報を取得する位置情報取得手段とを含む構成とすることができる。
【０００８】
前記ページ番号位置情報取得手段は、前記領域指定入力受付手段が、一のページに対するユーザの指定入力を受け付けた場合に、前記一のページ以外の他のページに対しても同様の領域が指定されたものとして、ページ番号情報を表示している位置に関する情報を取得する構成とすることができる。この構成では、ページごとにページ番号情報の表示領域を指定する必要がない。
【０００９】
もっとも、前記領域指定入力受付手段は、奇数ページ目と偶数ページ目とで、別の領域の指定入力を受け付けることが可能な構成とすることが好ましい。奇数ページ目と偶数ページ目とでページ番号情報の表示領域が異なることがあるからである。前記位置合わせ手段は、奇数ページ目と偶数ページ目とのそれぞれにおいて、ページ番号情報が略同一の位置に表示されるように、ページ内の画像位置を補正する構成とすることがきる。
【００１０】
前記位置合わせ手段は、奇数ページについて、ページ番号情報の最も右側の文字の位置が略同一となるようにページ内の画像位置を補正する場合には、偶数ページについて、ページ番号情報の最も左側の文字の位置が略同一となるようにページ内の画像位置を補正し、奇数ページについて、ページ番号情報の最も左側の文字の位置が略同一となるようにページ内の画像位置を補正する場合には、偶数ページについて、ページ番号情報の最も右側の文字の位置が略同一となるようにページ内の画像位置を補正する構成とすることができる。
【００１１】
また、前記ページ番号位置情報取得手段は、文字認識によりページ番号情報を構成する文字を認識し、当該文字に接して文字を囲む矩形の座標を前記位置に関する情報として取得することができる。
【００１２】
前記位置合わせ手段は、ページ番号情報の同一の桁の数字の位置が略同一となるようにページ内の画像位置を補正する構成とすることができる。
また、前記位置合わせ手段は、ページ番号情報の桁数が同じであって、同じ桁の数字が同一となるページについて、当該同一の数字の位置が略同一となるようにページ内の画像位置を補正する構成とすることもできる。
【００１３】
前記位置合わせ手段は、ページ番号情報のフォント及びサイズを検出する検出手段と、当該フォント及びサイズにおいて、各文字ごとの基準位置を保持するフォント基準位置保持手段とを備え、前記各文字ごとの基準位置が各々のページで略同一となるように、ページ内の画像位置を補正する構成とすれば、位置合わせの精度向上を図ることができる。
【００１４】
前記位置合わせ手段は、ページ番号情報の全ての数字を囲む矩形の中央位置が略同一となるようにページ内の画像位置を補正する構成とすることもできる。
前記位置合わせ手段は、ページ番号情報にデリミタが含まれる場合に、当該デリミタの位置が略同一となるようにページ内の画像位置を補正する構成とすることもできる。デリミタとしては、例えば各ページのページ番号情報と全ページ数の表示との間に「／（スラッシュ）」が用いられることがあるが、これに限定されず任意の記号を用いることが可能であり、空白（スペース）も含む。デリミタは自動認識も可能ではあるが、デリミタとしてどのような記号（スペースも含む。）が用いられるかを指定する手段を設けることが好ましい。
【００１５】
前記位置合わせ手段は、ページ番号情報に全ページ数が含まれる場合に、当該全ページ数の表示位置が略同一となるようにページ内の画像位置を補正する構成とすることもできる。
前記画像位置合わせ装置は、前記位置合わせ手段による画像位置合わせの基準位置を指定する入力を受け付ける基準位置指定入力受付手段を備え、前記位置合わせ手段は、指定された基準位置と、各々のページのページ番号情報の所定の位置とが略同一となるようにページ内の画像位置を補正する構成とすることができる。
【００１６】
また、前記画像位置合わせ装置は、前記位置合わせ手段による画像位置合わせの基準位置を決定するページ番号を指定する入力を受け付ける基準ページ指定入力受付手段を備え、前記位置合わせ手段は、指定されたページの所定位置と、各々のページのページ番号情報の所定の位置とが略同一となるようにページ内の画像位置を補正する構成とすることもできる。
【００１７】
本発明に係るプログラムは、プロセッサを備える装置にインストールされ、ページ内における画像の位置合わせを行う画像位置合わせ処理を実行させるプログラムにおいて、各々のページについて、ページ番号を示すページ番号情報を表示している位置に関する情報を取得するページ番号位置情報取得処理と、ページ番号情報の表示位置が、各々のページで略同一の位置となるようにページ内の画像位置を補正する位置合わせ処理とを前記プロセッサに実行させることを特徴としている。プログラムはパーソナルコンピュータ等の情報処理装置にインストールすることもできるし、画像読取装置や画像形成装置内にインストールすることもできる。なお、本発明に係るプログラムは、各種記録媒体に記録された状態で市場に流通するほか、インターネット等の各種ネットワークを介して市場に供給される場合も有る。
【発明の効果】
【００１８】
本発明に係る画像位置合わせ装置によると、位置ずれ補正用のマーキングを施すことなく画像の位置合わせを行うことが可能になるという効果を奏する。
【発明を実施するための最良の形態】
【００１９】
以下、本発明の実施の形態について、図面を参照しながら説明する。
（１）ファイル管理システムの構成
図１は、本実施の形態における画像位置合わせ装置がインストールされる情報処理装置、例えばパーソナルコンピュータ（ＰＣ）３１を含むファイル管理システムの構成の一例を示す図である。本実施の形態では、ＭＦＰ（マルチ・ファンクション・ペリフェラル）１とＰＣ３１とがＬＡＮ等のネットワーク５００を介して接続されており、ＭＦＰ１で原稿を読み取って得た画像データを、例えばＪＰＥＧ形式、ＰＤＦ形式や、ＴＩＦＦ形式などのファイルとしてＰＣ３１に送信することが可能な構成となっている。
【００２０】
ＰＣ３１では、インストールされた画像位置合わせ装置を立ち上げることにより、ＭＦＰ１で原稿を読み取って得た画像データにおいて、例えばスキャナでの原稿読み取り時の位置ずれや、傾き補正などを行った場合の上下左右のマージンのずれなどにより、ページごとにページ内の画像の位置ずれが生じた場合に、画像の位置合わせを行うことができる。なお、本発明の画像位置合わせ装置は、ＰＣ３１等の外部装置にインストールするだけでなく、ＭＦＰ１等の画像形成装置内に備えることもできる。
【００２１】
（２）ＭＦＰ１の構成
図２は、本実施の形態のＭＦＰ１の外観の一例を示す図である。ＭＦＰ１は、コピー、ネットワークプリンティング、スキャナ、ＦＡＸ、またはドキュメントサーバなどの機能を集約した画像形成装置である。複合機と呼ばれることもある。
【００２２】
図３は、本実施の形態のＭＦＰ１におけるハードウェア構成の一例を示す図である。ＭＦＰ１は、操作部１１、ディスプレイ部１２、スキャナ部１３、プリンタ部１４、通信インタフェース１６、ドキュメントフィーダ１７、給紙装置１８、トレイ１９（図２参照）、ＣＰＵ２０、ＲＡＭ２１、ＲＯＭ２２、およびデータ記憶部２３などによって構成される。
【００２３】
操作部１１は、数字、文字、および記号などを入力するための複数のキー、押下されたキーを認識するセンサ、および認識したキーを示す信号をＣＰＵ２０に送信する送信用回路などによって構成される。
【００２４】
ディスプレイ部１２は、ユーザに対してメッセージを表示する画面、ユーザが設定内容や処理内容を入力する画面、ＭＦＰ１で実行された処理の結果を表示する画面などを表示する。本実施の形態では、ディスプレイ部１２として液晶タッチパネルが用いられる。したがって、ディスプレイ部１２は、ユーザが指で触れたタッチパネル上の位置を検知し、検知結果を示す信号をＣＰＵ２０に送信する機能を備えている。
【００２５】
操作部１１およびディスプレイ部１２は、ユーザがＭＦＰ１を操作するためのユーザインタフェースの役割を果たしている。なお、ＰＣ３１には、ＭＦＰ１に対する指令を出力するためのアプリケーションプログラムおよびドライバがインストールされている。したがって、ユーザはＰＣ３１を使用してＭＦＰ１を遠隔的に操作することもできる。
【００２６】
スキャナ部１３は、原稿上の画像を光電的に読み取ってデジタルの画像データ（ここでは、ＲＧＢまたはブラックの濃度を表す濃度データ）を生成する。このようにして得られた画像データは、プリンタ部１４において印刷のために用いられる。または、ＪＰＥＧ形式、ＰＤＦ形式、ＴＩＦＦ形式などのフォーマットのファイルに変換されてデータ記憶部２３に記憶され、またはＰＣ３１等のデバイスに送信される。ドキュメントフィーダ１７は、ＭＦＰ１の本体上部に設けられており、１枚または複数枚の原稿をスキャナ部１３に順次搬送するために用いられる。
【００２７】
プリンタ部１４は、スキャナ部１３にて読み取られた画像や、ＰＣ３１等の外部装置から送信されてきた画像データの画像を、記録紙またはフイルムなどの記録シートに印刷する。給紙装置１８は、ＭＦＰ１本体下部に設けられており、印刷対象の画像に適した記録シートをプリンタ部１４に供給するために用いられる。プリンタ部１４によって画像が印刷された記録シートはトレイ１９に排出される。
【００２８】
通信インタフェース１６は、ネットワーク５００を介してＰＣ３１等の外部装置とデータの送受信を行うための装置である。通信インタフェース１６として、例えばＮＩＣ（ネットワーク・インタフェース・カード）を用いることができる。データ記憶部２３は、ハードディスク２３Ｈ、カードリーダライタ２３Ｒなどを有している。カードリーダライタ２３Ｒは、コンパクトフラッシュ（登録商標）、スマートメディアなどのメモリカード９１からデータを読み取り、またはメモリカード９１にデータを書き込む。メモリカード９１は、例えば、ネットワーク５００を介さずＰＣ３１等の外部装置との間でデータのやり取りを行うために用いることができる。
【００２９】
ハードディスク２３Ｈには、図４に示すように、データをファイル６として保存しておくための記憶領域であるフォルダ５がユーザごとに割り当てられている。図４は、フォルダ５などハードディスク２３Ｈの記憶内容の一例を示す図である。フォルダ５には、それぞれフォルダ名が付けられており、本実施の形態では、フォルダ名として、そのフォルダの利用者であるユーザのユーザ名が用いられている。ユーザは、ファイル６をＰＣ３１等からファイル転送することによってフォルダ５に保存させることができる。
【００３０】
また、ドキュメントフィーダ１７にセットされた原稿をコピーすべき旨の指令がユーザによってなされた場合に、ＭＦＰ１は、その原稿から読み取った画像の画像データをファイル６に変換し、そのユーザのフォルダ５に保存することができる（ユーザ認証を経てＭＦＰ１にログインした場合）。また、ドキュメントフィーダ１７にセットされた原稿の画像の画像データをＰＣ３１に送信すべき旨の指令がなされた場合も、読み取った原稿の画像データをファイル６に変換し、そのユーザのフォルダ５に保存することができる。
【００３１】
（３）ＰＣ３１の構成
次に、本実施の形態におけるＰＣ３１の構成について説明する。図５は、ＰＣ３１のハードウェア構成の一例を示す図である。ＰＣ３１は、操作部３１１、ディスプレイ部３１２、通信インタフェース３１６、ＣＰＵ３２０、ＲＡＭ３２１、ＲＯＭ３２２、およびデータ記憶部３２３などによって構成される。
【００３２】
操作部３１１としては、例えばマウス、キーボード等の入力装置を備えることができ、本実施の形態では、各々のページ内でページ番号を示す情報（以下、「ページ情報」という。）が表示されている領域を指定する入力、画像位置合わせの基準位置の設定、一あわせ処理の実行の指示入力などにマウスやキーボードが用いられる。ディスプレイ部３１２には、ページごとの画像や、基準位置を設定するためのウィンドウなどが表示される。ディスプレイ部３１２としては液晶ディスプレイ、ＣＲＴなどを用いることができる。
【００３３】
通信インタフェース３１６は、ネットワーク５００を介してＭＦＰ１等とデータの送受信を行うための装置である。通信インタフェース３１６として、例えばＮＩＣ（ネットワーク・インタフェース・カード）を用いることができる。データ記憶部３２３は、ハードディスク３２３Ｈ、カードリーダライタ３２３Ｒ、ＣＤ／ＤＶＤドライブ３２３Ｃなどを有している。カードリーダライタ３２３Ｒは、ＭＦＰ１のカードリーダライタ２３Ｒと同様にメモリカード９１からデータを読み取り、またはメモリカード９１にデータを書き込む。ＣＤ／ＤＶＤドライブ３２３Ｃは、本実施の形態の画像位置合わせ装置のプログラムを格納したＣＤ−ＲＯＭ等を読み取って、ＰＣ３１にインストールする際などに用いられる。
【００３４】
本実施の形態の画像位置合わせ装置の機能は、ＲＯＭ３２２に格納されたプログラム３２２１、ハードディスク３２３Ｈに格納され、ＲＡＭ３２１にロードされたプログラム３２１１がＣＰＵ３２０上で動作することにより実現される。図６は、ＰＣ３１に画像位置合わせ装置がインストールされた場合における機能的構成の一例を示すブロック図である。
【００３５】
ＰＣ３１には、ファイル受信部４０１、表示内容制御部４０２、入力取得部４０３、ページ番号情報表示領域指定部４０４、ページ番号情報取得部４０５、基準位置指定部４０６、画像位置合わせ部４０７、プリント制御部４０８、ファイル格納部４２１、ページ番号情報格納部４２２を備えている。ファイル格納部４２１、ページ番号情報格納部４２２は、例えばハードディスク３２３Ｈに設けることができる。
【００３６】
ファイル受信部４０１は、ＮＩＣ等の通信インタフェース３１６に対応し、例えばＭＦＰ１で原稿を読み取って得た画像データを変換した各種形式のファイルを受信することができるが、インターネットを介して外部からファイルを受信することもできる。受信したファイルはファイル格納部４２１に格納される。
【００３７】
表示内容制御部４０２は、ファイル格納部４２１に格納された画像ファイルの内容や、位置合わせ指示のためのウィンドウなどをディスプレイ部３１２に表示させる。入力取得部４０３は、操作部３１１としてのマウス、キーボート等を介するユーザの入力を取得する。ページ番号情報表示領域指定部４０４は、ページ番号情報（ページ番号など）が表示される領域（以下、「ページ番号表示領域」という。）を指定するユーザの入力を受け、前記領域を示す情報（以下、「ページ番号表示領域情報」という。）を取得する。本実施の形態ではページ情報としてページ番号が表示されている場合を例として説明する。もっとも、ページ番号情報は数字（漢数字、ローマ数字なども含む。）に限定されることはなく、イロハニホヘト等のかな文字やＡＢＣ等のアルファベットなど、ページ番号を示すことが可能なものは全て含まれる。
【００３８】
ページ番号情報取得部４０５は、文字認識等によってページ番号表示領域からページ番号情報を抽出し、ページ番号情報の表示位置を示す情報（以下、「ページ番号表示位置情報」という。）を取得してページ番号情報格納部４２２へ格納する。基準位置指定部４０６は、操作部３１１を介して入力される、どの位置を基準として位置合わせを行うかの基準位置の指定入力を受け付ける。
【００３９】
画像位置合わせ部４０７は、ページ情報格納部４２２に格納された情報に基づいて、各ページの画像の位置合わせを行う。位置合わせ後の画像は、ファイル格納部４２１に格納されたファイル等に反映させることも可能であるし、プリント制御部４０８を介してＭＦＰ１での画像形成に供することもできる。プリント制御部４０８は、ネットワーク５００を介して、ＭＦＰ１に対してプリント指示を行う。なお、画像位置合わせ装置はＭＦＰ１側に設けることも可能であり、この場合には上記フォルダ５内のファイル６について、画像の位置合わせを行った後、プリンタ部１４での画像形成に供することもできる。
【００４０】
（４）画像位置合わせ装置の処理内容
次に、本実施の形態の画像位置合わせ装置の処理内容について、フローチャートを参照して説明する。図７は、画像位置合わせ処理の内容の一例について説明するためのフローチャートである。まず、表示内容制御部４０２が、指定されたファイルの内容をディスプレイ部１２に表示させる（Ｓ１０１）。この表示方法は、公知の各種アプリケーションソフトウェアで用いられているのと同様の方法が適用可能であり、ページごとに各ページの内容を表示する。
【００４１】
次に、ページ番号表示領域情報を取得する（Ｓ１０２）。図８は、ページ番号表示領域について説明するための図である。同図８（ａ）の符号４５１は１ページ分の画像を示しており、同図の例ではページの下方中央にページ番号が表示されている。ユーザはページ番号が表示されている状態で操作部３１１としてのマウスを用いて、例えばａ点からｂ点までマウスカーソルをドラッグすることにより、ページ番号が表示されている領域として指定されるページ番号表示領域４５２を指定することができる。
【００４２】
ページ番号表示領域指定部４０４は、マウスカーソルにより指定された領域の座標をページ番号表示領域情報として取得し、ページ番号情報取得部４０５へ送る。なお、ページ番号表示領域の指定は、どのページを用いて行うことも可能であり、この指定は本実施の形態では全てのページで同様に指定されたものとして、以後の処理を行う。もっとも、図８（ｂ）に示すように奇数ページと偶数ページとで個別に指定することも可能である。奇数ページと偶数ページとでページ番号の表示位置が異なることもあるからである。この場合には奇数ページのページ番号表示領域４５２ａの指定は、１、３、５、・・ページで有効であり、偶数ページのページ番号表示領域４５２ｂの指定は、２、４、６、・・ページで有効となる。
【００４３】
図７のフローチャートに戻って、ページ番号情報取得部４０５は、ユーザにより指定されたページ番号情報表示領域から、各々のページについてページ番号情報が表示されている位置に関する情報（以下、「ページ番号表示位置情報」という。）を取得する（Ｓ１０３）。図９は、ページ番号表示位置情報の内容について説明するための図である。
【００４４】
ページ番号取得部４０５は、文字認識などにより、ページ番号表示領域からページ番号を抽出し、各々のページにおいてページ番号が表示されている位置の座標をページ番号表示位置情報として取得する。同図（ａ）の例では、ページの左上隅の位置ｓを基準として、ページ番号「１」が表示されている位置の左上及び右下の座標を取得する。具体的には、ページ番号「１」を囲む矩形（図中、点線で示される）４５３１の左上の位置Ｌ１の座標（ｘＬ１，ｙＬ１）、右下の位置Ｒ１の座標（ｘＲ１，ｙＲ１）を取得して、ページ情報格納部４２２に格納する。
【００４５】
ページ番号取得部４０５は、全てのページにおいてページ番号位置情報を取得する。図９（ｂ）の例では、２ページ目のページ番号「２」が表示されている位置を囲む矩形４５３２の左上の位置Ｌ２の座標（ｘＬ２，ｙＬ２）、右下の位置Ｒ２の座標（ｘＲ２，ｙＲ２）を取得して、ページ情報格納部４２２に格納する。１ページ目と２ページ目とでは、画像の位置ずれが生じており、ページ番号「１」と「２」の表示位置もずれているものとする。本実施の形態では、ページ番号の位置を利用して画像の位置合わせを行うことにより、位置合わせ用のマーキングを配することなく位置合わせを行うことを可能としている。
【００４６】
図７のフローチャートに戻って、基準位置指定部４０６は、操作部３１１を介してユーザが指定する位置合わせ基準位置の情報（以下、「基準位置情報」という。）を取得する（Ｓ１０４）。基準位置は、どのページのページ番号の位置を基準として他のページの画像の位置合わせを行うかを指定する情報である。図１０は、基準位置の指定方法について説明するための図である。
【００４７】
基準位置の指定方法には、いくつかの方法が考えられる。例えば、図１０（ａ）に示されるように、マウスカーソル４８０により基準位置を指定する方法がある。この場合、例えば、指定された位置がページ番号の中央位置、より具体的には図９（ａ）の例によるページ表示位置情報を利用する場合において、（ｘＬ１＋ｘＲ１）／２の値とマウスカーソル４８０による指定位置のｘ座標が一致し、（ｙＬ１＋ｙＲ１）／２の値とマウスカーソル４８０による指定位置のｙ座標が一致するように画像の位置を補正する。図９（ｂ）の例であれば、（ｘＬ２＋ｘＲ２）／２の値とマウスカーソル４８０による指定位置のｘ座標が一致し、（ｙＬ２＋ｙＲ２）／２の値とマウスカーソル４８０による指定位置のｙ座標が一致するように画像の位置を補正する。このように各々のページについてページ番号の表示位置を合わせる処理を行うことにより、各々のページの画像の位置が一致するように画像位置合わせを行うことができる。
【００４８】
上記のようにマウスカーソル４８０を用いる替わりに、図１０（ｂ）に一例が示されるようなウィンドウをディスプレイ部３１２に表示して、操作部３１１としてのキーボード等で基準位置を入力することもできる。位置合わせの方法は上記と同様である。
さらに、図１０（ｃ）に示されるように、基準位置をページで指定することもできる。例えば１ページ目を基準とする場合、１ページ目のページ番号表示位置情報から得られるページ番号の中央位置、即ち（ｘＬ１＋ｘＲ１）／２の値、及び（ｙＬ１＋ｙＲ１）／２の値を基準として、他のページのページ番号の中央位置が揃うように位置合わせを行うことができる。
【００４９】
なお、基準位置が指定された後の各々のページ内における位置合わせ処理は画像位置合わせ部４０７により実行され（図７のＳ１０５）、ファイル格納部４２１の内容に反映させることができる他、ファイル格納部４２１の内容に反映させることなくプリント制御部４０８によるプリント処理に供することもできる。画像位置合わせ部４０７は、具体的には、各ページごとのマージンの値の変更や、各ページのイメージデータを構成する各画素の値の変更などにより、画像位置合わせを行うことができる。
【００５０】
次に、ページ番号が複数桁である場合の処理について説明する。図１１は、ページ番号が複数桁の場合の処理について説明するための図である。複数桁である場合、図１１（ａ）に示されるように、ページ番号の表示位置の座標を各数字ごとに取得することができるが、位置合わせの方法が複数考えられる。
【００５１】
図１１（ａ）のようにページ番号が二桁以上の場合、数字の全てを囲む矩形の中央位置を基準位置とすることができる。即ち、（ｘＬ１１＋ｘＲ１２）／２の値、及び（ｙＬ１１＋ｙＲ１２）／２の値を基準として、他のページと位置合わせを行うことができる。三桁以上の場合も同様である。
【００５２】
他の方法として、一番左側、又は一番右側の数字の中央位置を基準とすることができる。図１１（ａ）の例では、一番左側の数字である「１」の中央位置を基準とする場合には、（ｘＬ１１＋ｘＲ１１）／２の値、及び（ｙＬ１１＋ｙＲ１１）／２の値を基準として、他のページと位置合わせを行うことができる。一番右側の数字である「２」を基準とする場合も同様に考えられる。この方法は、図８（ｂ）のように、奇数ページと偶数ページとでページ番号表示領域が異なる場合に特に有効であり、例えば奇数ページについては一番左側の数字を基準とし、偶数ページについては一番右側の数字を基準とする（逆も可能）ことができる。また、Ｎ桁目（Ｎは１以上の自然数）が同じ数字であるページ同士で、Ｎ桁目の数字の表示位置を合わせるように位置合わせを行うこともできる。
【００５３】
さらに、図１１（ｂ）のように、全ページ数（同図の例では１５）と当該ページのページ番号（同図の例では１２）とが、デリミタ（同図の例では「／（スラッシュ）」で区切られて表示されているような場合、上記に記載した方法を適用することも可能ではあるが、その他、各ページでデリミタの位置が略同一となるように位置合わせを行ったり、全ページ数を表示する数字の中央位置、即ち、（ｘＬ２４＋ｘＲ２５）／２の値、及び（ｙＬ２４＋ｙＲ２５）／２の値を基準として、他のページと位置合わせを行うことができる。
【００５４】
以上に説明したように、ページ番号が複数桁の場合や、デリミタを含む場合など、ページ番号の表示方法によって、より有効な位置合わせのための基準設定方法が異なることもあるため、例えば位置合わせを行うファイルごとに、位置合わせの方法を指定する機構を設けることが好ましい。具体的には、ディスプレイ部３１２に位置合わせ方法指定のためのウィンドウを表示し、ユーザによる選択を促す構成とすることが好ましく、ページ番号表示にデリミタが含まれている場合、当該ウィンドウの中で、どのような記号がデリミタとして用いられているかを指定するボックスを設けることが、より好ましい。
【００５５】
（変形例）
以上、本発明の実施の形態について説明したが、本発明の内容が上記実施の形態において説明された具体例によって限定されないことは勿論であり、例えば、以下のような変形例を実施することもできる。
【００５６】
（１）上記実施の形態では、ページ番号表示位置を、文字認識等により取得された結果を利用した矩形の座標位置として取得したが、さらに精度を向上させ得る方法の一つとして、ページ番号の数字のフォント及びサイズを取得する方法が考えられる。フォント及びサイズごとに、各数字において位置を合わせるべき基準位置を保持しておくことにより、より位置合わせの精度向上を図ることができる。
【００５７】
（２）全ページについて一度に位置合わせを行う必要はなく、数段階に分けて位置合わせ処理を行うこともできる。例えば１０〜１９ページについては、左側の数字「１」を用いて位置合わせを行い、２０〜２９ページについては、左側の数字「２」を用いて位置合わせを行う（３０ページ以降も同様）。そして、例えば１０〜１９ページを基準として、次の段階で右側の数字が一致するページ同士での位置合わせを行うことにより（例えば２２ページ目、３２ページ目については、１２ページ目と、右側の「２」の位置が略同一となるように位置合わせを行う。）、ページ番号が二桁のページについての位置合わせを実現することができる。桁数が異なるページについては、例えば上記したように、数字の全てを囲む矩形の中央位置を基準位置とすることで全ページの位置合わせを完了することができる。
【産業上の利用可能性】
【００５８】
本発明は、例えば、画像の位置合わせを行う画像位置合わせ装置に適用することができる。
【図面の簡単な説明】
【００５９】
【図１】ファイル管理システムの構成の一例を示す図である。
【図２】ＭＦＰ１の外観の一例を示す図である。
【図３】ＭＦＰ１におけるハードウェア構成の一例を示す図である。
【図４】ハードディスク２３Ｈの記憶内容の一例を示す図である。
【図５】ＰＣ３１のハードウェア構成の一例を示す図である。
【図６】ＰＣ３１に画像位置合わせ装置がインストールされた場合における機能的構成の一例を示すブロック図である。
【図７】画像位置合わせ処理の内容の一例について説明するためのフローチャートである。
【図８】ページ番号表示領域について説明するための図である。
【図９】ページ番号表示位置情報の内容について説明するための図である。
【図１０】基準位置の指定方法について説明するための図である。
【図１１】ページ番号が複数桁の場合の処理について説明するための図である。
【符号の説明】
【００６０】
１                        ＭＦＰ
５                        フォルダ
６                        ファイル
１１、３１１              操作部
１２、３１２              ディスプレイ部
１３                      スキャナ部
１４                      プリンタ部
１６、３１６              通信インタフェース
１７                      ドキュメントフィーダ
１８                      給紙装置
１９                      トレイ
２０、３２０              ＣＰＵ
２１、３２１              ＲＡＭ
２２、３２２              ＲＯＭ
２３、３２３              データ記憶部
２３Ｈ、３２３Ｈ          ハードディスクドライブ
２３Ｒ、３２３Ｒ          カードリーダライタ
３２３Ｃ                  ＣＤ／ＤＶＤドライブ
３１                      パーソナルコンピュータ（ＰＣ）
９１                      メモリカード
４０１                    ファイル受信部
４０２                    表示内容制御部
４０３                    入力取得部
４０４                    ページ番号情報表示領域指定部
４０５                    ページ番号情報取得部
４０６                    基準位置指定部
４０７                    画像位置合わせ部
４０８                    プリント制御部
４２１                    ファイル格納部
４２２                    ページ番号情報格納部
４５２                    ページ番号表示領域
４８０                    マウスカーソル
５００                    ネットワーク
【図１】
2007047925.tif 000003
【図２】
2007047925.tif 000004
【図３】
2007047925.tif 000005
【図４】
2007047925.tif 000006
【図５】
2007047925.tif 000007
【図６】
2007047925.tif 000008
【図７】
2007047925.tif 000009
【図８】
2007047925.tif 000010
【図９】
2007047925.tif 000011
【図１０】
2007047925.tif 000012
【図１１】
2007047925.tif 000013